【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
画像データを入力する入力デバイスを有し、前記入力デバイスで入力した画像データを複数の出力デバイスのいずれかに送信して出力させるための画像処理装置であって、
前記入力デバイスの画像処理属性を特定する特定手段と、
前記特定手段により特定された前記入力デバイスの画像処理属性に基づいて、前記複数の出力デバイスそれぞれの画像処理属性との適合度を取得する取得手段と、
前記取得手段により取得された前記適合度に基づいて、前記複数の出力デバイスを特定可能なデバイス情報を、適合度指標とともに一覧表示するデバイス情報表示手段と、
を有することを特徴とする画像処理装置。
【請求項２】
前記デバイス情報表示手段は、前記適合度指標を前記出力デバイスの出力仕様に基づく情報、数値、グラフィクスのいずれかで表示可能とすることを特徴とする請求項１記載の画像処理装置。
【請求項３】
前記画像処理属性は、色再現空間範囲を特定する情報であることを特徴とする請求項１または２に記載の画像処理装置。
【請求項４】
前記デバイス情報表示手段により表示された出力デバイス一覧からいずれかの出力デバイスが選択された場合に、該選択された出力デバイスの適合度に応じて出力画質が劣化する警告を表示部に行う警告表示手段を有することを特徴とする請求項１乃至３のいずれかに記載の画像処理装置。
【請求項５】
前記警告表示手段は、前記デバイス情報表示手段により表示された出力デバイス一覧から選択された出力デバイスに対する出力条件に基づいて、出力画質が劣化する警告を表示部に行うことを特徴とする請求項４記載の画像処理装置。
【請求項６】
前記デバイス情報表示手段は、表示される各デバイス情報の適合度指標に基づいて、一覧表示するデバイス情報の表示順位をソート可能とすることを特徴とする請求項１乃至５のいずれかに記載の画像処理装置。
【請求項７】
前記入力デバイスで入力された画像データを出力する出力手段を有し、
前記デバイス情報表示手段は、前記適合度指標を、前記出力手段の適合度と比較可能に表示することを特徴とする請求項１乃至６のいずれかに記載の画像処理装置。
【請求項８】
前記入力デバイスで画像データを入力する際の入力条件を指定する指定手段を有し、
前記デバイス情報表示手段は、前記指定手段で指定された入力条件に応じて表示形態を異ならせることを特徴とする請求項１乃至７のいずれかに記載の画像処理装置。
【請求項９】
複数の出力デバイスの属性情報を管理するサーバ装置であって、
入力デバイスから画像処理属性を受信する受信手段と、
前記受信手段により受信された前記入力デバイスの画像処理属性に基づいて、前記入力デバイスから選択可能な各出力デバイスの画像処理属性との適合度を判定する判定手段と、
前記判定手段により判定された前記入力デバイスが選択可能な各出力デバイスの適合度を前記入力デバイスに返信する返信手段と、
を有することを特徴とするサーバ装置。
【請求項１０】
各出力デバイスの画像出力特性の補正履歴情報を取得して蓄積する蓄積手段を有し、
前記判定手段は、前記適合度を、前記出力デバイスの前記画像処理属性及び前記補正履歴情報に基づいて判定することを特徴とする請求項９記載のサーバ装置。
【請求項１１】
画像データを入力する入力デバイスを有し、前記入力デバイスで入力した画像データを複数の出力デバイスのいずれかに送信して出力させるための画像処理装置における出力デバイス表示方法であって、
前記入力デバイスの画像処理属性を特定する特定工程と、
前記特定工程により特定された前記入力デバイスの画像処理属性に基づいて、前記複数の出力デバイスそれぞれの画像処理属性との適合度を取得する取得工程と、
前記取得工程により取得された前記適合度に基づいて、前記複数の出力デバイスを特定可能なデバイス情報を、適合度指標とともに一覧表示するデバイス情報表示工程と、
を有することを特徴とする出力デバイス表示方法。
【請求項１２】
前記デバイス情報表示工程は、前記適合度指標を前記出力デバイスの出力仕様に基づく情報、数値、グラフィクスのいずれかで表示可能とすることを特徴とする請求項１１記載の出力デバイス表示方法。
【請求項１３】
前記画像処理属性は、色再現空間範囲を特定する情報であることを特徴とする請求項１１または１２に記載の出力デバイス表示方法。
【請求項１４】
前記デバイス情報表示工程により表示された出力デバイス一覧からいずれかの出力デバイスが選択された場合に、該選択された出力デバイスの適合度に応じて出力画質が劣化する警告を表示部に行う警告表示工程を有することを特徴とする請求項１１乃至１３のいずれかに記載の出力デバイス表示方法。
【請求項１５】
前記警告表示工程は、前記デバイス情報表示工程により表示された出力デバイス一覧から選択された出力デバイスに対する出力条件に基づいて、出力画質が劣化する警告を表示部に行うことを特徴とする請求項１４記載の出力デバイス表示方法。
【請求項１６】
前記デバイス情報表示工程は、表示される各デバイス情報の適合度指標に基づいて、一覧表示するデバイス情報の表示順位をソート可能とすることを特徴とする請求項１１乃至１５のいずれかに記載の出力デバイス表示方法。
【請求項１７】
前記入力デバイスで入力された画像データを、前記画像処理装置が備える出力手段で出力する出力工程を有し、
前記デバイス情報表示工程は、前記適合度指標を、前記出力工程により前記出力手段で出力する場合の適合度と比較可能に表示することを特徴とする請求項１１乃至１６のいずれかに記載の出力デバイス表示方法。
【請求項１８】
前記入力デバイスで画像データを入力する際の入力条件を指定する指定工程を有し、
前記デバイス情報表示工程は、前記指定工程で指定された入力条件に応じて表示形態を異ならせることを特徴とする請求項１１乃至１７のいずれかに記載の出力デバイス表示方法。
【請求項１９】
複数の出力デバイスの属性情報を管理するサーバ装置におけるデータ処理方法であって、
入力デバイスから画像処理属性を受信する受信工程と、
前記受信工程により受信された前記入力デバイスの画像処理属性に基づいて、前記入力デバイスから選択可能な各出力デバイスの画像処理属性との適合度を判定する判定工程と、
前記判定工程により判定された前記入力デバイスが選択可能な各出力デバイスの適合度を前記入力デバイスに返信する返信工程と、
を有することを特徴とするデータ処理方法。
【請求項２０】
各出力デバイスの画像出力特性の補正履歴情報を取得する工程を有し、
前記判定工程は、前記適合度を、前記出力デバイスの前記画像処理属性及び前記補正履歴情報に基づいて判定することを特徴とする請求項１９記載のデータ処理方法。
【請求項２１】
請求項１１〜１８のいずれかに記載の出力デバイス表示方法をコンピュータに実行させるためのプログラムを格納したことを特徴とするコンピュータが読み取り可能な記憶媒体。
【請求項２２】
請求項１９〜２０のいずれかに記載のデータ処理方法をコンピュータに実行させるためのプログラムを格納したことを特徴とするコンピュータが読み取り可能な記憶媒体。
【請求項２３】
請求項１１〜１８のいずれかに記載の出力デバイス表示方法をコンピュータに実行させることを特徴とするプログラム。
【請求項２４】
請求項１９〜２０のいずれかに記載のデータ処理方法をコンピュータに実行させることを特徴とするプログラム。